(57)【要約】【課題】ネットワーク上の記憶領域に情報を入出力することが可能で、かつ、システムの使用料、ネットワーク接続にかかる料金、携帯電話の使用料などを一括管理する画像処理システムを提供する。【解決手段】携帯電話１０２１を用いてアクセス可能な情報記録域１１１と、情報記録域１１１に記憶されている情報を編集した情報の情報入出力機器１１０１による出力を含む処理にかかる料金であるシステム使用料と、携帯電話１０２１の使用料を一括して管理し、ユーザに対して課金する課金センタ１０７を有する。【選択図】      図１
2004287825.tif 000002
【特許請求の範囲】
【請求項１】
画像の入力または出力の少なくとも一方が可能な画像処理手段および携帯が可能な情報端末装置とネットワークを介して接続する画像入出力システムであって、
前記情報端末装置を用いてアクセス可能な記憶手段と、
前記記憶手段に記憶されている情報が編集された後、編集後の情報の前記画像処理手段による出力を含む処理にかかる料金であるシステム使用料と、携帯式の前記情報端末装置の使用料を一括して管理し、ユーザに対して課金する課金管理手段を有することを特徴とする画像入出力システム。
【請求項２】
前記課金管理手段は、前記システム使用料を、携帯式の前記情報端末装置の使用料徴収システムを利用して課金することを特徴とする前記請求項１に記載の画像入出力システム。
【請求項３】
前記課金管理手段は、携帯式の前記情報端末装置の使用料を、前記システム使用料の徴収システムを利用して課金することを特徴とする請求項１に記載の画像入出力システム。
【請求項４】
前記編集された情報と共に、該情報に付加される付加情報を前記画像処理手段によって出力することを特徴とする請求項１〜３のいずれか一つに記載の画像入出力システム。
【請求項５】
前記付加情報をあらかじめ登録する付加情報登録手段を有することを特徴とする請求項１〜４のいずれか一つに記載の画像入出力システム
【請求項６】
前記付加情報が商品の販売を促進する目的を持つ情報であり、該付加情報によって前記システム使用料を変動することを特徴とする請求項１〜５のいずれか一つに記載の画像入出力システム。
【請求項７】
前記画像処理手段によって出力される出力情報をユーザ出力する際に、複数の情報を編集、配置することが可能であることを特徴とする請求項１〜６のいずれか一つに記載の画像入出力システム。
【請求項８】
前記出力情報として、ネットワーク上の情報を選択可能であることを特徴とする請求項７に記載の画像入出力システム。
【請求項９】
前記出力情報の配置内容、ネットワーク上の情報の中のうち、選択された情報内容、出力情報量の少なくとも１つに基づいて、前記システム使用料を決定することを特徴とする請求項７または８に記載の画像入出力システム。
【請求項１０】
前記画像処理手段によって出力される出力情報が著作権を有する情報であり、該情報をユーザが選択的に出力することを特徴とする請求項１〜９のいずれか一つに記載の画像入出力システム。
【請求項１１】
前記画像処理手段によって出力される出力情報が特定のユーザの個人情報を含み、該情報をユーザが選択的に出力することを特徴とする請求項１〜１０のいずれか一つに記載の画像入出力システム。
【請求項１２】
前記著作権を有する情報を出力した場合、前記課金管理手段は、前記システム使用料とともに著作権使用料を課金することを特徴とする請求項１０または１１に記載の画像入出力システム。
【請求項１３】
前記画像処理手段は、携帯端末と接続するためのインターフェイスを有することを特徴とする請求項１〜１２のいずれか一つに記載の画像入出力システム。
【請求項１４】
前記画像処理手段が不特定の個人または団体のユーザによる使用可能な場所に設置され、前記システム使用料を使用したユーザから徴収する課金手段を有することを特徴とする請求項請求項１〜１３のいずれか一つに記載の画像入出力システム。
【請求項１５】
前記画像処理手段は、携帯式の前記情報端末装置に記憶されているユーザに固有の情報を表示する表示画面を有することを特徴とする請求項１〜１４のいずれか一つに記載の画像入出力システム。
【請求項１６】
前記課金管理手段は、ユーザの前記個人情報に基づいて課金の処理をすることを特徴とする請求項１５に記載の画像入出力システム。
【発明の詳細な説明】
【０００１】
【発明の属する技術分野】
この発明は、携帯端末で取得した情報を画像として出力する画像入出力システムに関する。
【０００２】
【従来の技術】
近年、通信技術，半導体技術等の発達により、携帯電話や携帯端末が広く普及してきており、種々のデータ処理システムが提案されている。携帯端末の種類としては、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等がある。携帯端末はインターネットにも対応し、電子メールの交換、ウエッブブラウザによる情報の参照なども可能となっている。また、インターネット等の通信インフラも着実に整備され、外出中でも、公衆電話や携帯電話を経由して携帯端末から、ウェブサイトや、自分のパーソナルコンピュータ（ＰＣ）に接続して、外出先からデータを取得したり、転送して種々のデータ処理を出先から自在に行うことができるようになってきている。このようなネットワーク接続の手段の多様化により、たとえば携帯電話や、電話回線を利用し、ネットワークサービスプロバイダに接続する等、複数の接続手段を利用することが可能となった。
【０００３】
ただし、従来の携帯端末は印刷装置を使用するためのソフトウエア（印刷装置ドライバ）をサポートしておらず、また印刷装置に接続するための印刷装置コネクタが存在しないため、印刷機能を備えていない。このため例えば外出中に、携帯端末の情報を紙に印刷しようとしても、プリント可能な機器は存在していない場合が多く、通常は、ユーザが自身の会社や自宅に帰らないと出力できない。このため、例えば取得したデータを所望の出先で取得しても、出先で出力し、印刷物を作成することはできないという不具合があった。同様に、情報の入力に関しても、従来の携帯端末では、簡易カメラを備えていても、携帯端末の記憶容量が小さく、例えば紙上のデータをスキャンする、といった本格的な画像入力機能を備えることが難しかった。
【０００４】
上記した不具合を解消可能な従来技術としては、クライアントコンピュータからネットワークを介してサーバに格納されている画像を閲覧すると共に、該画像を取得してプリントサーバに印刷を依頼するものがあった（例えば特許文献１参照）。
【０００５】
【特許文献１】
特開２０００−１０５６７８号公報（段落００４９）
【０００６】
【発明が解決しようとする課題】
しかしながら、近年ネットワークに接続する手段が多様化し、複数の接続手段に対して、各ネットワーク接続会社から個別に使用料を徴収されるため、ユーザにとっては支払いが煩雑になるという問題があった。
【０００７】
また、従来、コンビニエンスストアなどに設置された印刷機器を用いて印刷を行うと、印刷のための料金をユーザが負担しなければならず、また１枚の印刷を行うと、印刷内容の多少にかかわらず一定料金をその場で支払わなければならなかった。さらに、ユーザにとって有益な情報を印刷したい場合、従来はその内容のみを印刷する必要があり、印刷料金とその情報料を両方支払う必要があった。その一方で、この印刷物に直接広告印刷をし、広告物が保管される可能性を高めたいという要望があった。
【０００８】
また、個人で作成したデータを出力することが可能であったとしても、ユーザーが所望する著作権を有するような情報（具体的には「小説」「漫画」「写真画像」「イラスト」等）、或いはある特定のユーザー間での個人情報（具体的にはある特定の個人からのメッセージ、写真画像等）は入手しにくく、さらにそれを複数のコンテンツの中から選択的に入手、記憶（保存）、出力するといったネットワーク入出力システムは存在しなかった。
【０００９】
本発明は、上記した点に鑑みてなされたものであり、ネットワークで繋がれ、管理された入力装置、出力装置を携帯端末を利用して使用することにより、ネットワーク上の記憶領域に情報を入出力することが可能な画像入出力システムを提供することを目的とする。また、この発明は、本システムの使用料、及びネットワーク接続手段の対価、携帯電話の使用料に関する課金を一括管理することにより、外出先でも、また入出力のための装置を持たないユーザでもより簡便にかつ低コストにて画像を入出力できる画像入出力システムを提供することを目的とする。
【００１０】
また、本発明は、上記した点に鑑み、印刷を行うためにユーザが負担する印刷料金を、広告提供者が一部または全部負担することにより、ユーザにとってはより負担の少ない印刷を、広告提供者にとってはより安価で、資源の有効活用が可能な画像入出力システムを提供すること目的とする。さらに、ユーザにとって有益な情報を付加して印刷することにより、印刷枚数の低減、印刷コストおよび資源の節約、印刷料金と情報料を含むシステム利用料の一括管理、課金が可能な画像入出力システム提供することを目的とする。
【００１１】
さらに、この発明は、著作権を有する情報、或いは特定のユーザ間の個人情報を選択的に出力可能にし、著作権や個人情報の提供を受けることに課金できる画像入出力システムを提供することを目的とする。
【００１２】
【課題を解決するための手段】
上記目的を達成するため、請求項１にかかる発明は、画像の入力または出力の少なくとも一方が可能な画像処理手段および携帯が可能な情報端末装置とネットワークを介して接続する画像入出力システムであって、前記情報端末装置を用いてアクセス可能な記憶手段と、前記記憶手段に記憶されている情報が編集された後、編集後の情報の前記画像処理手段による出力を含む処理にかかる料金であるシステム使用料と、携帯式の前記情報端末装置の使用料を一括して管理し、ユーザに対して課金する課金管理手段を有することを特徴とする。
【００１３】
この請求項１に記載の発明によれば、携帯端末を利用してネットワークと接続し、画像処理装置を使用することによってネットワーク上の記憶領域に情報を入出力することが可能になる。また、システム利用料や、携帯端末の使用料、ネットワーク接続料等を一括管理し、課金するので、自宅や会社等の決められた場所以外の場所で情報を入出力でき、また別々に払っている通信料金が一元化され、支払い管理を容易にすることができる。
【００１４】
また、上記した発明において、前記課金管理手段が、前記システム使用料を、携帯式の前記情報端末装置の使用料徴収システムを利用して課金することが望ましい。
【００１５】
また、上記した発明において、前記課金管理手段が、携帯式の前記情報端末装置の使用料を、前記システム使用料の徴収システムを利用して課金することが望ましい。
【００１６】
また、上記した発明において、編集された情報と共に、該情報に付加される付加情報を前記画像処理手段によって出力することが望ましい。
【００１７】
また、上記した発明において、前記付加情報をあらかじめ登録する付加情報登録手段を有することが望ましい。
【００１８】
また、上記した発明において、前記付加情報が商品の販売を促進する目的を持つ情報であり、該付加情報によって前記システム使用料を変動することが望ましい。
【００１９】
また、上記した発明において、ユーザが前記画像処理手段によって出力される出力情報を出力する際に、複数の情報を編集、配置することが可能であることが望ましい。
【００２０】
また、上記した発明において、前記出力情報として、ネットワーク上の情報を選択可能であることが望ましい。
【００２１】
また、上記した発明において、前記出力情報の配置内容、ネットワーク上の情報の中のうち、選択された情報内容、出力情報量の少なくとも１つに基づいて、前記システム使用料を決定することが望ましい。
【００２２】
また、上記した発明において、前記画像処理手段によって出力される出力情報が著作権を有する情報であり、該情報をユーザが選択的に出力することが望ましい。
【００２３】
また、上記した発明において、前記画像処理手段によって出力される出力情報が特定のユーザの個人情報を含み、該情報をユーザが選択的に出力することが望ましい。
【００２４】
また、上記した発明において、前記著作権を有する情報を出力した場合、前記課金管理手段は、前記システム使用料とともに著作権使用料を課金することが望ましい。
【００２５】
また、上記した発明において、前記画像処理手段は、携帯端末と接続するためのインターフェイスを有することが望ましい。
【００２６】
また、上記した発明において、前記画像処理手段が不特定の個人または団体のユーザによる使用可能な場所に設置され、前記システム使用料を使用したユーザから徴収する課金手段を有することが望ましい。
【００２７】
また、上記した発明において、前記画像処理手段は、携帯式の前記情報端末装置に記憶されているユーザに固有の情報を表示する表示画面を有することが望ましい。
【００２８】
また、上記した発明において、前記課金管理手段は、ユーザの前記個人情報に基づいて課金の処理をすることが望ましい。
【００２９】
【発明の実施の形態】
以下に添付図面を参照して、この発明にかかる画像入出力システムの好適な実施の形態を詳細に説明する。
【００３０】
（実施の形態１）
図１は、本発明の実施の形態１の画像入出力システムを説明するための図である。画像入出力システム１００は、携帯式の情報端末装置（以降携帯端末と記す）１０２１、画像入出力が可能な複数の構成（以下情報入出力機器と記す）とインターネット１０４を介して接続している。実施の形態１において、情報入出力機器１０１１ａ〜ｄは、駅のホームの待合室１０１、コンビニエンスストアの店頭１０２、オフィス１０３等の不特定多数の人が操作可能な場所に設置されている。また、入出力機器のうち、デジタルカメラである情報入出力機器１０１１ｅは、撮影した写真画像を例えばパーソナルコンピュータを介してインターネット１０４上に送ることができる。さらに、インターネット１０４には、様々な情報を発信、受信するコンテンツサーバ（一般の情報提供サーバ）６も多数配置されている。
【００３１】
画像入出力システム１００は、情報入出力機器１０１１ａ〜ｄの入出力履歴を収集するための課金センタ（サーバ）１０７、入出力情報の情報センターである情報記録域１１１、さらに、利用者の認証のために使用される認証管理であるユーザ管理部１１２、ユーザ設定用センタであるユーザ設定部１０９も必要に応じて配置される（後述する）。また、図１に示したインターネット１０４には、図２に示すように、携帯端末の一つである携帯電話１０２１の通信状況を管理する携帯電話通信管理会社２０１が接続することも多い。
【００３２】
図３は、各情報入出力機器１０１１ａ〜ｄの構成を説明するためのブロック図である。情報入出力機器１０１１（ａ〜ｄの区別を省く）は、制御部３００と、出力（印刷）部３０３と、表示部３０４と、入力部３０５と、ＲＯＭ３０８と、ＲＡＭ３０７と、代金投入部３０６と、通信制御部３０１およびインターネット接続制御部３０２とを備える。
【００３３】
制御部３００は、ＣＰＵ（Ｃｅｎｔｒａｌ  Ｐｒｏｃｅｓｓｉｎｇ  Ｕｎｉｔ）またはＤＳＰ（Ｄｉｇｉｔａｌ  Ｓｉｇｎａｌ  Ｐｒｏｃｅｓｓｏｒ）などから構成され、この情報入出力機器１０１１全体の動作を制御する。印刷部３０３は、カラーレーザプリンタやカラーインクジェットプリンタのプリンタ部などであり、制御部３００の制御下に、様々な出力（印刷）を行う。表示部３０４は、様々な情報を表示するものであるが、特に、実施の形態１においては、ＧＵＩ（Ｇｒａｐｈｉｃ  Ｕｓｅｒ  Ｉｎｔｅｒｆａｃｅ）用の画面を表示する。入力部３０５は、例えば簡易型のキーボードやスキャナであり、表示部３０４に表示されたＧＵＩを用いて情報入出力機器１０１１にユーザの指示などを入力する。
【００３４】
ＲＯＭ（Ｒｅａｄ  Ｏｎｌｙ  Ｍｅｍｏｒｙ）３０７は、制御部３００の動作プログラムおよび固定データ、例えば、この入出力機器の装置識別情報（ＩＤ；Ｉｄｅｎｔｉｆｉｃａｔｉｏｎ）を記憶する。ＲＡＭ（Ｒａｎｄｏｍ  Ａｃｃｅｓｓ  Ｍｅｍｏｒｙ）３０８は、制御部３００のワークエリアとして機能し、入出力対象のデータを展開する。代金投入部３０６は、ＩＤ処理部（リードライト）、硬貨、紙幣などの貨幣認識、課金処理部を含み、課金処理を行う。通信制御部３０１は、携帯端末のデータ入出力端子との間でデータのシリアル転送を行う。以上の入出力機器の稼動、データ、ユーザなどの情報管理は、ｗｅｂ上に設置された画像入出力システム１００によって管理される。
【００３５】
画像入出力システムのユーザ管理部１１２に登録されたユーザは、携帯端末を用い、ｗｅｂ上で任意のコンテンツサーバ１０６から情報を取り込み、情報表示レイアウト、複数のコンテンツからの情報の並び替えといった情報編集、お気に入りの画像（スナップ写真画像、メール文書など）といった個人情報の挿入や情報表示サイズの変更、編集などを、画像入出力システム１００において実行できる。編集、加工された情報は、画像入出力システム１００の情報記録領域１１１に保存される。
【００３６】
また、画像入出力システム１００に管理されている情報入出力機器１０１１ａ〜１０１１ｄは、情報の印刷、携帯端末からの画像、文字情報などの編集用情報を、画像入出力システム１００に登録することができる。このため情報入出力機器１０１１ａ〜１０１１ｄを駅のホームや待合室１０１、コンビニエンスストア１０２、オフィス１０３など、不特定多数の人が操作可能な場所に設置した場合、システム登録ユーザは、情報を共有、変更、更新すること、出力（印刷）することができる。
【００３７】
実施の形態１の画像入出力システム１００の利用料金は、本システムを利用する携帯端末などの利用料金との併合、情報入出力機器などの利用料金との併合、ｗｅｂ上画像入出力システム加入料金と併合することが可能である。この際、画像入出力システム１００の利用管理においては、随時稼動管理を行って、システム運営状況を監視、リアルタイムな応答することで、ユーザレスポンスが向上されている。
【００３８】
次に、実施の形態１に適用される携帯端末として、携帯電話１０２１を例示して説明する。図４は、携帯端末としての携帯電話１０２１のブロック図である。携帯電話１０２１は、制御部５００と、受話部５０７と、送話部５０８と、送受信部５０３と、表示部５０４と、入力部５０５と、ＲＯＭ５０９と、ＲＡＭ５１０と、通信制御部５０２とを備える。
【００３９】
制御部５００は、ＲＯＭ５０９に格納されたプログラムに従って動作し、携帯電話１０２１全体の動作を制御する。受話部５０７は、スピーカなどを備え、制御部５００から供給されるディジタル音声信号をアナログ音声信号に変換し、スピーカから放音する。送話部５０８は、マイクロフォンなどを備え送信対象の音声データを取り込み、ディジタル信号に変換して制御部５００に供給する。送受信部５０３は、外部の基地局（図示せず）との間で、アンテナを介して無線通信を行う。
【００４０】
表示部３０４は、電話操作に必要な情報やインターネット１０４から得た情報などを表示する。入力部３０５は、ダイアルボタン、画像入力用カメラなどを備えていて、ユーザの操作によって操作の指示や、写真画像を入力する。ＲＯＭ５０９は、制御部５００の動作プログラムおよび固定データを記憶する。この動作プログラムには、プリンタドライバは含まれていない。ＲＡＭ５１０は、バッテリによりバックアップされており、制御部５００のワークエリアとして機能すると共に、アドレス帳（名称と電話番号の対）、ブックマーク（予め登録されているＵＲＬ）、短縮番号と正確な電話番号との対、等の情報を記憶する。通信制御部５０２は、データ送受信用のシリアル入出力端子を備え、ケーブルを介して外部装置に接続される。また、情報入出力機器１０１１に設けられた携帯電話設置孔に接続される。実施の形態１では、携帯電話設置孔が、情報入出力機器１０１１と携帯端末である携帯電話１０２１とのインターフェイスとなる。図５に、コピー装置である情報入出力機器５０１の携帯電話設置孔（インターフェイス）５０２に携帯電話１０２１がセットされた状態を示す。
【００４１】
次に、ユーザが、画像入出力システム１００に記憶されている内容をコンビニエンスストア１０２に設置された情報入出力機器１０１１を用いて出力するまでの動作を説明する。
【００４２】
先ず、ユーザは、情報入出力機器１０１１の通信制御部３０１と携帯電話１０２１の通信制御部５０２とを接続する。また、ユーザは、情報入出力機器１０１１が設置されているコンビニエンスストア１０２等の代金投入部５０６として設置されているコインラックなどに貨幣を投入する。次に、ユーザは、情報入出力機器１０１１の入力部３０５を操作し、ｗｅｂ上の画像入出力システム１００において、出力情報の編集、出力指示を行う。画像入出力システム１００は、この指示に応答し、通信制御部３０１と５０２とを介して情報の読出命令を制御部３００に送信する。送信は、通常のデータ送信形式で、順次行なわれる。
【００４３】
制御部３００は、画像入出力システム１００から送信されたデータを受信し、ＲＡＭ３０７上に展開する。データの展開が完了すると、情報入出力機器１０１１である携帯電話１０２１から画像入出力システム１００に対し、ユーザ認証を行う。
【００４４】
図６は、画像入出力システム１００においてなされるユーザ認証の処理を説明するためのフローチャートである。画像入出力システム１００は、携帯電話１０２１から例えばＩＤ情報を受け取り（ステップＳ１）、さらにパスワードなどの入力がなされるまで待機する（ステップＳ２）。そして、パスワードが入力されると、ＩＤ情報や電話番号登録情報などと照合し、パスワードが正当なユーザであると認められた場合（ステップＳ３：Ｙｅｓ）、画像入出力システム１００における処理を受けつける（ステップＳ４）。
【００４５】
実施の形態１の画像入出力システム１００における処理とは、ユーザ照合、課金処理、ＲＡＭ３０７に展開した画像データを順次切り出し、印刷部３０３に供給し、例えば図７に示すように印刷させる処理をいう。さらに、実施の形態１では、印刷の日時、枚数、費用などの情報をＲＡＭ３０７上の特定領域に履歴情報として記録すると共に、画像入出力システム１００の課金センタ１０７に稼動情報を送信する。
【００４６】
課金センタ１０７は、収集した入出力管理情報を、事業体別に分類し、コンビニエンスストア１０２やオフィス１０３への支払い額（入出力装置設置料）などと、情報入出力機器の提供会社への支払い額（入出力装置使用料または管理料）、携帯電話等のネットワーク通信料、画像入出力システム利用料、各種コンテンツ情報料とを決定する。そして、情報入出力機器１１０１に併設された代金投入部３０６に投入された貨幣を清算し、おつりを返却口に出す。また、投入された料金が足らない場合は、画像入出力システム１００の課金センタ１０７から代金不足のメッセージが情報入出力機器１１０１の表示部３０４に表示され、ユーザに告知される。ユーサは貨幣を更に代金投入部３０６に投入するか、または、携帯端末利用代金の併合、画像入出力システム１００の利用料金併合など、この時点で選択することもできる。
【００４７】
また、ユーザに関する情報は、携帯電話１０２１から画像入出力システム１００に情報入出力機器１１０１を介して送信される。ユーザに関する情報のうち、ユーザ固有の設定や、利用集計データ、残高データなどを情報入出力機器１０１１の表示部３０４に表示することで、利用確認、利用ガイダンスなど利用効率が向上する。
【００４８】
画像入出力システムの利用にかかる各種利用料金は、課金センタ１０７、ユーザ管理部（管理サーバ）において、例えば、システム利用料、コンテンツ情報料、入出力機器利用料、通信料というように、ユーザの設定に合わせた通信料に統合する形式で清算する、代金投入部３０６で清算する、あるいは情報入出力機器にカードリーダを設け、クレジットカード等で清算することもできる。
【００４９】
以上説明したように、実施の形態１によれば、不特定多数の人がアクセスできる場所に情報入出力機器を配置し、この入出力装置に携帯端末のデータ端子を接続することにより、情報の入出力を可能とすることができる。このため、ユーザは、情報入出力機器が設置されている場所であればどこでも必要に応じた入出力（スキャン、印刷）を行うことができる。さらに、情報の入出力に課金される料金は、コピーやプリンタといった専用の情報入出力機器を購入するような場合と比較すれば格段に低コストである。
【００５０】
次に、実施の形態１の画像入出力システムの他の例を説明する。この画像入出力システムは、情報の入出力にかかる課金処理のために特別な装置を必要としないものである。この場合、情報入出力機器１０１１は、代金投入部３０６を備える必要をなくすため、ＲＯＭ３０８にコード情報を記憶する。コード情報は、情報をコード化するための情報であって、例えば、バーコード（二次元コードを含む）が適用される。
【００５１】
制御部３００は、携帯電話１０２１や画像入出力システム１００から送信されたデータをＲＡＭ３０７に展開する。展開されたデータは、印刷部３０３を介して一旦全て印刷される。画像入出力システム１００は、情報入出力機器１０１１が印刷の稼動に移行する前に、課金センタ１０７、ユーザ管理部１１２と交信し、出力される情報の対価を取得する。そして、情報入出力機器１０１１の表示部３０４などにユーザが実行しようとする出力（印刷）イメージ、各種利用料金を表示する。図８に、出力イメージ、各種利用料金の表示例を示す。
【００５２】
ユーザは、図８に示した表示を確認した後、入出力機器１０１１を操作して実際に印刷物を出力する。実施の形態１では、印刷物の最後に、課金センタ１０７、ユーザ管理部１１２において計算された料金に応じたコード情報を印刷する。コード情報として付加される情報としては、印刷枚数、単価、総合計等の情報が考えられる。また、コード情報は、例えばバーコードを利用したものであってもよい。バーコードの例を、図７に符号７０１を付して示す。
【００５３】
印刷が完了すると、ユーザは、バーコード７０１が印刷された印刷物をレジに持参する。レジでは、ＰＯＳ端末（図示せず）で印刷物の末尾に印刷されているバーコード７０１を読み取り、ＰＯＳ端末の表示部に請求額をユーザに対して表示する。
【００５４】
以上説明したように、実施の形態１は、プリンタドライバを備えていない携帯電話１０２１を使って内部メモリ（ＲＡＭ５１０）の記憶データや、インターネット１０４から取得した情報を手軽に出力（印刷）できる。ただし、上述の説明の構成および動作に限定されず、種々の変形が可能で、例えば、データの出力（印刷）を指示する方法、課金の方法などは任意に変更可能である。
【００５５】
（印刷例１）
印刷例１として、携帯電話１０２１が参照しているホームページの情報を出力（印刷）する例について説明する。ユーザは、情報入出力機器１０１１の通信制御部３０１を、例えば図５のように携帯電話１０２１をセットするなどして携帯電話１０２１の通信制御部５０２と接続する。ユーザは、情報入出力機器１０１１の入力部３０５を操作し、出力（印刷）を指示する。指示を受けた入出力機器１０１１は、印刷のための待機状態に入る。ユーザは、携帯電話１０２１を操作し、表示部３０４上に、印刷したいホームページのＵＲＬ（Ｕｎｉｆｏｒｍ  Ｒｅｓｏｕｒｃｅ  Ｌｏｃａｔｏｒ）、またはそのホームページ自体を表示する。
【００５６】
入出力機器１０１１の制御部３００は、通信制御部３０１を介し、Ｗｅｂ上の画像入出力システム１００と通信し、ユーザ指定のＵＲＬの情報データを受信する。入出力機器１０１１の制御部３００は、ＲＡＭ３０７上にデータを一旦展開する。続いて、制御部３００は、印刷部３０３を制御してＲＡＭ３０７に展開されたデータを印刷する。このとき、画像入出力システム１００のユーザ管理部１１２、課金センタ１０７は、ユーザ情報などのステータス、各種使用料金、課金についての情報を、出力される印刷物のイメージと共に情報入出力機器１１０１の表示部３０４に表示する。ユーザは、表示された画像を確認し、印刷の実行を指示することによって印刷物を出力させる。このような実施の形態１によれば、ユーザは、プリンタドライバを備えていない携帯電話１０２１を使って任意のホームページを印刷することができる。
【００５７】
次に、携帯電話１０２１と入出力機器１０１１とを物理的に接続しない例を説明する。ユーザは、携帯電話１０２１を操作し、画像入出力システム１００と接続する。画像入出力システム１００のユーザ管理部１１２は、出力先である情報入出力機器１０１１の設定を行い、印刷物を出力（印刷）させることができる。この手法によれば、携帯電話１０２１と入出力機器１０１１とを物理的に接続する必要がなく、非常に簡便に情報の印刷が可能となる。
【００５８】
また、実施の形態１は、ユーザが、情報入出力機器１０１１の入力部３０５から手入力で画像入出力システム１００にアクセスし、ＵＲＬを入力、情報編集、加工等行い、情報を印刷することも可能である。この場合、ユーザは、入力部３０５に手入力でＵＲＬや編集情報を入力する。この場合、携帯電話１０２１のユーザは、画像入出力システム１００を介して情報を送受信し、情報入出力機器１０１１で情報を印刷する。また、データ入力を行う際、各種コンテンツサーバ１０６の情報を共有するグループ（趣向や仕事が同じ）がある場合、画像入出力システム１００のユーザ設定部１０９でグループを登録し、コンテンツを利用するメンバを設定する。このようにすれば、設定されたメンバ間でシステム利用の利便性が向上する。
【００５９】
また、入出力機器１０１１の設置場所や出力の設定なども画像入出力システム１００のユーザ管理部１１２にて一元管理されているので、メンバの作業場所など異なる場合でも、入出力機器１０１１によって情報の共有、メッセージ等のメンバー間交信をスムーズに行なうことができる。すなわち、特定の者へ送信したいイメージ、写真、画像、メッセージを入出力機器１０１１の入力部３０５から読み込ませ、画像入出力システム１００において編集、加工し、相手先へ送信する、あるいは相手先の近くにある情報入出力機器１０１１へ送信し印刷することができる。また、画像入出力システム１００では、各種コンテンツサーバ１０６から選択した情報と、メッセージ、写真等のイメージといった個人的な情報、または通達、お知らせの写真、イメージ情報といったグループ的な情報を、合成、編集、加工、レイアウトし、画像入出力システム１００に登録、送信、出力ができる。このため、メンバ個人間、あるいはグループ間のコミュニケーションを図ることに利用できる。
【００６０】
また、情報入出力機器１１０１は、会社やオフィスといったグループ（組織）的な場所で使われることが多い。このため、あらかじめ入出力機器１１０１の使われ方について、画像入出力システム１００のユーザ管理部１１２、ユーザ設定部１０９に情報入出力機器１０１１の使用方法を設定しておくことで、各グループ専用の入出力機器１０１１の設定が可能である。また、グループごとの設定は、利用料金についても可能である。
【００６１】
各種コンテンツサーバ１０６には、情報の提供が有料のものと無料のものとがある。情報が有料のものについては、情報取得にかかる料金について、画像入出力システム１００の課金センタ１０７で管理する。ユーザが編集した情報を情報入出力機器１１０１から出力する際は、情報入出力機器１１０１の利用料金と情報料とが情報入出力機器１１０１の表示部３０４などに表示される。ユーザは、この表示によって情報の印刷にかかる料金を確認することができる。情報取得にかかる料金を管理できる実施の形態１は、特に、条件によってキャッシュバック等、料金が変動するコンテンツから情報の提供を受ける際に有効に利用できる。
【００６２】
また、課金センタ１０７は、ユーザが情報を合成、編集した際、合成・編集した情報内容、情報の大きさ（情報が広告等である場合）、情報量、出力数（グループのメンバ間など、出力先が多数の場合）などに応じて課金料金を計算する。課金計算においては、情報入出力機器１１０１のステータス（白黒印刷、カラー印刷など）も考慮される。ユーザは、課金料金を、画像入出力システム１００とインターネットを介して接続されるあらゆる通信装置から確認することができる。また、実施の形態１の画像入出力システム１００に、ユーザや各種コンテンツサーバ１０６の情報、情報料などを登録しておいた場合、ユーザはコンテンツサーバ１０６を利用するたびにＵＲＬを指定する、あるいは検索する必要がなくなる。したがって、画像入出力システム１００の利用時間が短縮でき、通信費用を抑えることができる。
【００６３】
また、グループごとに情報をユーザ管理部１１２に登録することにより、グループに属するユーザは、登録された情報を利用し、画像入出力システムを有効に使用することができる。また、ユーザが情報入出力機器１１０１から個人情報（メッセージ、写真等のイメージなど著作物、情報記録域１１１の登録情報に関わるステータス（情報料金、イメージ、画像鮮明度））を印刷するとき、ユーザ管理部１１２から情報記録域１１１を通して印刷の内容が情報入出力機器１１０１の表示部３０４で参照できる。したがって、ユーザは、情報を出力するか否か検討することができる。また、ユーザが入出力する情報に、通信情報、入出力などの履歴、時間などの情報を添付することも可能である。このような処理により、間違った情報を誤って入出力することを防止することができる。
【００６４】
また、実施の形態１の画像入出力システム１００は情報入出力機器１１０１から情報を出力する際、予め携帯端末からユーザ設定部１０９にグループＩＤ，印刷レイアウト、出力モードなどの個人の属性をユーザ設定として入力しておけば、情報入出力機器１１０１に携帯端末を接続した時点で情報入出力機器１１０１の表示部３０４にユーザ固有の設定情報を表示することができる。このような設定は、同じ使用条件で繰り返し画像を入出力することに利便性を高めることができる。また、画像入出力システム１００利用に対する課金についても、使用条件などをユーザ設定として予め登録することによって自動的に課金計算をすることが可能になる。このため、印刷のたびに課金計算システムのモード選択や設定の入力といった操作を行うことを省くことができる。
【００６５】
また、携帯電話１０２１など携帯端末で取得した画像を出力することは、以下のようなメリットを有する。すなわち、携帯電話１０２１からコンテンツサーバ１０６にアクセスすると、通常解像度のページが開く。この画像は、図９（ａ）に例示するように、携帯電話１０２１の小さいサイズの表示部５０４に表示されているため、文字や図形の輪郭が比較的不鮮明である。本発明の如く、画像入出力システム１００を介して情報入出力機器１０１１から情報を印刷した場合、図９（ｂ）に例示するように、比較的大画像で、かつ高品質の画像が印刷される。この画像は、図９（ａ）に示す画像を単に拡大しただけの画像と異なり、全体にシャープで、図形や文字が明確である。
【００６６】
また、上記した実施の形態１に係る画像入出力システム１００は、出力時或いは画像入出力システムに繋げる時点で、個人識別情報（ＩＤ）やパスワード情報を照合するので、画像入出力システム１００の不正な使用を防止することができる。
【００６７】
（実施の形態２）
次に、本発明の実施の形態２について説明する。なお、実施の形態２において、実施の形態１で述べた構成と同様の構成については同様の符号を付し、説明を一部略すものとする。図１０は、実施の形態２の情報入出力機器１００１を示す図である。情報入出力機器１００１は、図３に示した入力部３０５および表示部３０４の一部を含む操作部１００１ａを有している。情報入出力機器１００１において、情報入出力機器１００１上の操作部１００１ａは、操作パネル８０５（図１１（ａ））を有している。操作パネル８０５は、「付加情報付き」ボタン８０１を備えている。ユーザが「付加情報付き」ボタン８０１を選択してコピーまたはプリントを実行した場合、出力された出力画像の一部に付加情報が印刷される。実施の形態２でいう「付加情報」とは、販売促進目的の広告出あってもよいし、ユーザが携帯電話１０２１などの携帯端末から入力したデータ等であっても良い。
【００６８】
「付加情報付き」を選択する手段は、上記の他、図１１（ｂ）のように、液晶画面８０３上に設けられたタッチボタン８０２であってもよい。また、接続される携帯電話１０２１の操作面上でも良いし、情報入出力機器１００１とは別の切り替え装置によっても良い。さらに、ユーザが接続する携帯電話１０２１などの携帯端末にあらかじめモード設定しておく事によって、携帯端末を接続するだけで情報入出力機器１００１が自動的に「付加情報（広告）付き」モードに切り替えることもできる。（図１１（ｃ））。
【００６９】
このとき、付加情報は、情報入出力機器１００１自体に記憶されているものであっても良い。また、図１２（ａ）のように、画像入出力システム１００のＷｅｂ上にあらかじめ登録されたコンテンツ９０２の情報であっても良い。これらは付加情報提供者または組織（ユーザ）が提供したい情報を選択、配置しておくものである。また、付加情報は、図１２（ｃ）のように、出力者が画像入出力システム１００に示す情報入出力機器１００１上の操作部１００１ａの液晶画面８０３（図１２（ｂ））に示される付加情報一覧より任意に選択するようにしても良い。
【００７０】
さらに、実施の形態２では、あらかじめＷｅｂ上に登録されている情報を、携帯電話１０２１を接続することで自動的に選択する構成としてもよい。また、このときの付加情報一覧が多岐にわたる場合や、よりその内容を詳しく表示したい要望がある場合には、情報入出力機器１００１とは別に表示装置を設けても良い。
【００７１】
また、実施の形態２でいう付加情報は、付加情報の提供者や組織が流布したいものであり、画像入出力システム１００のユーザにとっては主目的であるコピーまたはプリントという行為に対しては無用のものである。そこで、付加情報提供者や組織は、ユーザに「付加情報（広告）付き」を選択してもらう代価として、出力にかかる代価の一部を負担するようにすることもできる。このとき、ユーザが選択した付加情報（広告）の面積が大きければ負担額は大きく、わずかであれば負担額料金も少なくすることで、ユーザにより付加情報（広告）面積の大きいパターンを選択してもらうことを促す（図１３）。負担額の大小は、面積ではなく用紙上の配置場所（用紙の枠外、裏面、上部、下部  等）によっても良い。さらに付加情報（広告）の内容が出力者によってメリットがあるもの（例えば  ニュース、天気予報など）を含む場合には負担額を小さく、あるいは逆に増額しても良い。
【００７２】
（実施の形態３）
次に、本発明の実施の形態３について説明する。なお、実施の形態３において、実施の形態１、２で述べた構成と同様の構成については同様の符号を付し、説明を一部略すものとする。実施の形態３の画像入出力システムは、「付加情報（広告）付き」コピーまたはプリントを出力する際、ユーザが出力用紙上の「付加情報（広告）」の位置、レイアウトを任意に設定可能にしたものである。その方法は、例えば、情報入出力機器１００１の操作パネル８０５上で付加情報エリアを設定（例えば用紙の枠外、裏面、上部、下部等）し、画像入出力システム１００が設定された配置・大きさに適した付加情報（広告）を追加して出力するものである。この操作は、情報入出力機器１００１上の操作部１００１ａからではなく、専用の表示装置上から行うようにしてもよい。
【００７３】
さらに、ユーザが接続した携帯電話１０２１にあらかじめモード設定しておくことによって、携帯電話１０２１を接続するだけで希望のレイアウト形態を設定できるようにしてもよい。このとき付加される情報は、情報入出力機器１００１自体に記憶されているものでもよい。また、画像入出力システム１００と接続するＷｅｂ上にあらかじめ登録されたコンテンツ１４０１の情報であっても良い（図１４（ａ））。
【００７４】
また、実施の形態３は、「付加情報（広告）付き」コピーまたはプリントを出力する際、出力者はその用紙上の「付加情報（広告）」の位置、レイアウトを任意に設定できる（図１４（ｂ））。その方法は  例えば  出力端末の操作画面上にて付加情報エリアを設定する（例えば用紙の枠外、裏面、上部、下部  等）と、システム側にてその配置・大きさに適した付加情報（広告）を追加して出力するものである。この操作は、情報入出力機器１００１の操作部１００１ａからではなく、専用の表示装置上から行うように施しても良い。さらに、ユーザが接続する携帯電話１０２１等の携帯端末にあらかじめモード設定しておくき、携帯端末を接続するだけで希望のレイアウト形態を設定できるようにすることもできる。
【００７５】
なお、実施の形態３についても、追加情報の提供者が追加情報の出力によって出力にかかる代価の一部を負担するものとする。そして、図１４（ｃ）のように、追加される情報の量、配置位置、表示面積、さらには内容によって負担額を増減するものとしてもよい。
【００７６】
（実施の形態４）
次に、本発明の実施の形態４について説明する。なお、実施の形態４において、実施の形態１〜３で述べた構成と同様の構成については同様の符号を付し、説明を一部略すものとする。実施の形態４の画像入出力システムは、図１１に示した「付加情報付き」ボタン８０１を「著作物」ボタンとして機能させ、著作物ボタンを選択して画像出力を実行した場合、「著作物」が追加印刷されてくるものである。実施の形態４でいう「著作物」とは、具体的には「小説」「漫画」「写真画像」「イラスト」等をさす。「著作物」を選択する手段は、著作物ボタンの他、接続される携帯電話１０２１などの携帯端末の操作面上に設けても良い。また、情報入出力機器１００１とは別の切り替え装置によっても良い。さらに、ユーザが接続する携帯電話１０２１などの携帯端末あらかじめ希望「著作物」を選択するモードを設定しておき、携帯端末を接続するだけで情報入出力機器１００１が自動的に「著作物」出力モードに切り替わるようにしても良い。
【００７７】
なお、出力される「著作物」のデータは、その情報入出力機器１００１自体に記憶されているものでも良いが、画像入出力システム１００のＷｅｂ上に登録されたコンテンツ１３０１の情報であっても良く、コンテンツは著作者または組織によってあらかじめ登録されている（図１５（ａ））。
【００７８】
また、画像入出力システム１００の情報入出力機器１００１において、操作部１００１ａからユーザが「個人情報付き」ボタンを選択してコピーを実行した場合、出力されるコピー画像の一部に個人情報が印刷されてくる（図１５（ｂ））。「個人情報付き」を選択する手段は、他に、情報入出力機器１００１に接続される携帯端末の操作面上でも良いし、情報入出力機器１００１とは別の切り替え装置によって行なうこともできる。さらに、接続される携帯端末にあらかじめモード設定しておき、携帯端末を接続するだけで情報入出力機器１００１が自動的に「個人情報付き」モードに切り替わるようにしても良い。
【００７９】
なお、実施の形態４でいう「個人情報」とは、ある特定の個人からのメッセージ等であって、携帯端末を接続することによって個人認識を行い、携帯端末から画像入出力システムにメッセージが記録される。このメッセージは、別途特定された携帯端末を接続した特定の対象者にのみメッセージを出力させることが可能となる。このとき、メッセージが出力できる対象者は一人に限定する必要は無く、該携帯端末の有する「グルーピング機能」（複数名をひとつのグループとして登録しておく機能）を利用する事で  複数のメンバーがメッセージを出力できるようにすることも可能である。
【００８０】
なお、上記した「個人情報付き」出力は、単なる携帯端末からのメール印刷では無く、出力しなければメッセージが見ることが出来ないという  一種のゲーム性を有している。
【００８１】
また、「著作物」は、ユーザが欲して選択するものである。そこで、ユーザは「著作物」を選択出力する代価として、出力にかかる代価に著作権料を加算し支払うものとする（図１５（ｃ））。このとき、ユーザが選択した「著作物」の価値が大きければ増額は大きく、小さければ増額料金も少なくすることで、出力者に相応の負担を求めることができる。なお  増額の大小を決める「価値」は、著作者側が決めることができる。また、「個人情報」を選択出力する場合の代価は、上記と同じくユーザ側が負担しても良いが、メッセージ入力側があらかじめ相当額を負担しても良い。
【００８２】
なお、本発明は、上記した実施の形態に限定されず、様々な応用が可能である。携帯端末は、上述の携帯電話に限定されず、上述の機能を実現しうる様々な携帯型の情報端末装置を含む。
【００８３】
【発明の効果】
以上説明したように、請求項１に記載の発明は、ネットワークで繋がれ、管理された入力装置、出力装置を携帯端末を利用して使用することにより、ネットワーク上の記憶領域に情報を入出力することが可能な画像入出力システムを提供することができるという効果を奏する。また、本システムの使用料、及びネットワーク接続手段の対価、携帯電話の使用料に関する課金を一括管理することにより、外出先でも、また入出力のための装置を持たないユーザでもより簡便にかつ低コストにて画像を入出力できる画像入出力システムを提供するという効果を奏する。
【００８４】
請求項２に記載の発明は、システムの使用料を携帯端末の使用料徴収システムを利用して徴収されるので、システム利用時に現金がなくてもシステムを利用でき、また支払いも容易にできるという効果を奏する。
【００８５】
請求項３に記載の発明は、システム利用料徴収システムを利用して携帯端末の使用料を徴収しているので、携帯端末の使用料をシステム使用料徴収システムを利用して支払うことができるので、携帯端末の支払方法の幅が広がるという効果を奏する。
【００８６】
請求項４に記載の発明は、ネットワークにつながる任意の入出力機器を用い、出力機能を有さない携帯端末からの入力データを含め、ユーザが希望する任意のデータを付加して出力ができるので、外出先等の場所を選ばず希望付加情報の付いた出力を行う事ができるという効果を奏する。
【００８７】
請求項５に記載の発明は、特定のユーザ（付加情報提供者または組織）によってにあらかじめ登録された情報を選択的に付加して出力する事ができるので、出力者に対し流布したい情報を確実に伝える事ができるという効果を奏する。
【００８８】
請求項６に記載の発明は、出力を行うためにユーザが負担する出力料金を、広告提供者が一部または全部負担しその変動額に応じて広告量を変化させているので、ユーザにとっては選択的により少ない負担で出力が出来、広告提供者にとっては負担額に応じた効果的な販売促進を行うことができるという効果を奏する。
【００８９】
請求項７に記載の発明は、ユーザが出力情報を出力する際に、ユーザが複数の情報を自在に編集、配置することが可能であるため、ユーザの希望通りのレイアウトが容易に可能となり、操作性が向上するという効果を奏する。
【００９０】
請求項８に記載の発明は、ネットワーク上に予め用意された任意の情報をユーザが選択可能であるため、ユーザの選択範囲が広がり、且つ手軽に所望の情報を取得することが可能となるという効果を奏する。
【００９１】
請求項９に記載の発明は、ネットワーク上に予め用意された任意の情報の中からユーザが選択した情報内容、及び出力情報量の少なくとも１つに基づいて、システム利用料に対する課金額を決定するため、広告を付加した場合にはユーザの負担額を軽減でき、また課金額に対してユーザの選択範囲が広がるという効果を奏する。
【００９２】
請求項１０に記載の発明は、ユーザが著作権を有する情報を選択的に出力可能、或いは記憶領域に記憶された情報に著作権を有する情報を付加した情報を選択的に出力可能であるため、ユーザの情報選択範囲が広がり、且つ手軽に所望の情報を取得することができるようになるという効果を奏する。
【００９３】
請求項１１に記載の発明は、ユーザがある特定のユーザ間の個人情報を選択的に出力可能であるため、個人対個人、あるいはグループメンバー間での情報の共有、メッセージ等のメンバー間交信をスムーズに行うことができるようになるという効果を奏する。
【００９４】
請求項１２に記載の発明は、著作権を有する情報を出力した場合には、システム利用料金とともに、著作権使用料をシステム使用料に付加して、ユーザに請求し、著作権保有者に支払うため、ユーザの支払いを一括管理でき、ユーザの支払いが１度で済み、ユーザの利便性が向上するという効果を奏する。
【００９５】
請求項１３に記載の発明は、専用の入出力装置を購入するような場合と比較すれば、格段に低コストで、入出力機器が設置されているどこでもユーザーの必要に応じた入出力を行うことができるという効果を奏する。
【００９６】
請求項１４に記載の発明は、不特定の個人または団体のユーザに対して課金された料金を徴収することができるという効果を奏する。
【００９７】
請求項１５に記載の発明は、ユーザ固有情報を表示させることで、入出力機器の操作性の向上を図ることができるという効果を奏する。
【００９８】
請求項１６に記載の発明は、どこに設置してある入出力機器でも、ユーザー固有の使い方（利用料金処理含む）ができ、入出力システムを利用する際の利便性の向上を図ることができるという効果を奏する。
【図面の簡単な説明】
【図１】本発明の実施の形態１の画像入出力システムを説明するための図である。
【図２】本発明の実施の形態１の画像入出力システムを説明するための他の図である。
【図３】図１に示した情報入出力機器の構成を説明するためのブロック図である。
【図４】図１に示した携帯端末の構成を説明するためのブロック図である。
【図５】情報入出力機器に携帯端末がセットされた状態を示す図である。
【図６】実施の形態１においてなされるユーザ認証の処理を説明するためのフローチャートである。
【図７】実施の形態１のの画像入出力システムにおける処理を説明するための図である。
【図８】実施の形態１の出力イメージ、各種利用料金の表示例を示す図である。
【図９】実施の形態１において、携帯端末の表示画面に表示された画像と、印刷出力された画像とを比較して示す図である。
【図１０】実施の形態２の情報入出力機器を示す図である。
【図１１】実施の形態２の「付加情報付き」を選択する手段を説明するための図である。
【図１２】実施の形態２の付加情報の付加方法について説明するための図である。
【図１３】実施の形態３の付加情報と出力の対価との関係を説明するための模式図である。
【図１４】実施の形態３の付加情報の付加方法について説明するための図である。
【図１５】実施の形態４の付加情報の付加方法について説明するための図である。
【符号の説明】
１０１１ａ〜ｅ          情報入出力機器
１００  画像入出力システム
１０４  インターネット
１０６  コンテンツサーバ
１０７  課金センタ
１０９  ユーザ設定部
１１１  情報記録域
１１２  ユーザ管理部
３００  制御部
３０１  通信制御部
３０２  インターネット接続制御部
３０３  印刷部
３０４  表示部
３０５  入力部
３０６  代金投入部
５００  制御部
５０１  情報入出力機器
５０２  通信制御部
５０３  送受信部
５０４  表示部
５０５  入力部
５０６  代金投入部
５０７  受話部
５０８  送話部
７０１  バーコード
８０１  「付加情報付き」ボタン
８０３  液晶画面
８０５  操作パネル
１００１  情報入出力機器
１００１ａ  操作部
１０１１  情報入出力機器
１０２１  携帯電話
【図１】
2004287825.tif 000003
【図２】
2004287825.tif 000004
【図３】
2004287825.tif 000005
【図４】
2004287825.tif 000006
【図５】
2004287825.tif 000007
【図６】
2004287825.tif 000008
【図７】
2004287825.tif 000009
【図８】
2004287825.tif 000010
【図９】
2004287825.tif 000011
【図１０】
2004287825.tif 000012
【図１１】
2004287825.tif 000013
【図１２】
2004287825.tif 000014
【図１３】
2004287825.tif 000015
【図１４】
2004287825.tif 000016
【図１５】
2004287825.tif 000017